(57)【特許請求の範囲】
【請求項１】
打球感覚を楽しむためのスイング練習器であって、
グリップを付けたシャフトと、
前記シャフトの先に接続された、インパクトプレートを付けたＵ字形シャフトと、
前記インパクトプレートに対して前記グリップ側に装備され、３つのネジ部の内一対のネジ部を介して、前記Ｕ字形シャフトの対向部分に回動自在に接続されたＴ形ナットと、
前記Ｔ形ナットの残りのネジ部に対して装着され、先端におもりを付けたボルトに位置を調整できる磁性材料よりなる長ナットを付けてなる振子と、
前記Ｔ形ナットに対して前記グリップ側に装備され、前記振子の回動範囲の所定位置において前記長ナットを磁力で保持するマグネットキャッチャーとを備え、
前記長ナットを回すことで前記Ｔ形ナットの回動軸からの距離を調整して前記マグネットキャッチャーの保持力が調整され、
ダウンスイング時に前記振子に生じる遠心力で前記マグネットキャッチャーの保持力以上の力が加わると前記振子は回転し、前記おもりが前記インパクトプレートにあたり音が出る、スイング練習器。
【請求項２】
前記長ナットの両側に、ナットゆるみ防止ゴムリングを付けた、請求項１記載のスイング練習器。
【請求項３】
前記インパクトプレートの打面側に、入れ替え可能な厚さの異なるクッションシートを装着して、打球音を数段階に変えられるようにした、請求項１又は請求項２記載のスイング練習器。
【請求項４】
前記インパクトプレートの外部面にバランスプレートを数枚付けられるようにし、手元での重さを調整できるようにした、請求項１、請求項２及び請求項３のいずれかに記載のスイング練習器。
【請求項５】
請求項１、請求項２、請求項３及び請求項４のいずれかに記載のグリップ部分をバットグリップに変更することができる、スイング練習器。
【発明の詳細な説明】
【技術分野】
【０００１】
本発明は、打球音位置を自分のスイングスピードに合わせて調整できるようにした、打球感覚を楽しむスイング練習器に属する。
【背景技術】
【０００２】
従来の振子を用いたスイング練習器は、ゴルフクラブのシャフト先端部に装着して利用するスイング練習器で、バネ状弾性体を利用しているため、シャフトとの固有振動数が合わず打球音位置がばらばらのため、インパクト付近での打球感覚が楽しめない。
【先行技術文献】
【特許文献】
【０００３】
【特許文献１】特許公開２０００−２８８１４５
【発明の開示】
【発明が解決しようとする課題】
【０００４】
以上に述べた従来のスイング練習器では、打球音位置を自分のスイングスピードに合わせて調整できる練習器はなく、音が早く鳴ったり遅れて鳴ったりすると打球感覚を楽しめない。
【０００５】
本発明は、このような問題を解決しようとするものであり、打球感覚を楽しみながらスイング練習することができるスイング練習器を提供することを目的とするものである。
【課題を解決するための手段】
【０００６】
そして、本発明は上記目的を達成するために、打球感覚を楽しむためのスイング練習器であって、グリップを付けたシャフトと、前記シャフトの先に接続された、インパクトプレートを付けたＵ字形シャフトと、前記インパクトプレートに対して前記グリップ側に装備され、３つのネジ部の内一対のネジ部を介して、前記Ｕ字形シャフトの対向部分に回動自在に接続されたＴ形ナットと、前記Ｔ形ナットの残りのネジ部に対して装着され、先端におもりを付けたボルトに位置を調整できる磁性材料よりなる長ナットを付けてなる振子と、前記Ｔ形ナットに対して前記グリップ側に装備され、前記振子の回動範囲の所定位置において前記長ナットを磁力で保持するマグネットキャッチャーとを備え、前記長ナットを回すことで前記Ｔ形ナットの回動軸からの距離を調整して前記マグネットキャッチャーの保持力が調整され、ダウンスイング時に前記振子に生じる遠心力で前記マグネットキャッチャーの保持力以上の力が加わると前記振子は回転し、前記おもりが前記インパクトプレートにあたり音が出る、スイング練習器である。
【０００７】
また、前記長ナットの両側にゴムリングを付けると、長ナット調整後の長ナットゆるみ防止となる。
【０００８】
そして、室内等で練習するときは、前記インパクトプレートの打面側に、入れ替え可能な厚さの異なるクッションシートを装着して練習すれば、クッションシートは打球音を数段階に変えられるようになっているため、音を小さくして、迷惑をかけない練習ができるスイング練習器である。
【０００９】
さらに、前記インパクトプレート外部面にバランスプレートを数枚つけられるようにして、手元での重さを調整できるようにしたスイング練習器である。
【００１０】
また、本発明は前記グリップ部分をバットグリップに変更すると、野球のバッティング感覚と、打球音を楽しむスイング練習器となる。
【発明の効果】
【００１１】
上述したように本発明のスイング練習器は、打球感覚を楽しむものであり、打球音位置を自分のスイングスピードに合わせて調整でき、練習器全長を短くしているので室内でも練習できるため、身近に置いてあればいつでもどこでも練習できる練習器となる。
【００１２】
そして、室内での練習で打球音が気になる場合は、クッションシートを装着して使えば、打球音を数段階に変えられるので、迷惑をかけずに練習できる。
【００１３】
さらに、インパクトプレート外部面にバランスプレートを数枚つけられるので、手元でのモーメント感覚が調整でき、自分に合わせたスイング練習ができる。
【００１４】
また、グリップ部分をバットグリップに変更すると、打球音を楽しみながら野球のバッティング感覚を楽しむスイング練習器となり、雨の日などの室内でのスイング練習にはもってこいである。
【発明を実施するための最良の形態】
【００１５】
以下、本発明の実施の形態を図１〜図６に基づいて説明する。
【００１６】
図においては、１はグリップで、短いシャフト２に装着され、そのシャフトの先端部に、Ｕ字形シャフト接続用長ナット２１が固着または溶着されている。
【００１７】
Ｕ字形シャフト４は、フラットバーまたはプレートを曲げ加工して制作し、先端部にインパクトプレート３が固着または溶着されている。中間部には振子回転軸８が固着または溶着され、その近傍にマグネットキャッチャー９が固着または溶着されている。
【００１８】
短いシャフト２とＵ字形シャフト４との接続は、Ｕ字形シャフト４に固着または溶着されたＵ字形シャフト接続用ボルト２０を、Ｕ字形シャフト接続用長ナット２１にねじ込んで接続される。
【００１９】
振子７の構成は、振子軌道を固定化するため、軸取付部をＴ形ナット５とし、それに取付くボルトの中間部には、保持力調整用の長ナット６を取付け、先端部にはおもりを取付けてなる。
【００２０】
マグネットキャッチャー９の構成は、プレート１６を曲げ加工し、マグネット１４を挟み込んでマグネット固定ボルト１５で固定し、振子軌道に合致する位置で、Ｕ字形シャフトの上下に固着または溶着してなる。
【００２１】
保持力調整用の長ナット６の両サイドに、ナットゆるみ防止ゴムリング１０を付ければナットのゆるみ防止となり、好きな位置に調整できる。
【００２２】
インパクトプレート３は、直接振子が当たると大きな音がでるので、音で迷惑をかけるような時は、各打面が厚さの違うクッションシート１１をクッションシート取付けピン１９に差し込み、音を小さくしてスイング練習ができる。そこでクッションシートは、打面のずれ防止のため粘着性のあるクッションシートにするとよい。
【００２３】
また、インパクトプレート外部面にバランスプレート１２を数枚付けられるように、インパクトプレート内側にバランスプレート取付け用長ナット１７を固着または溶着し、そこにバランスプレート取付け用ビス１８でバランスプレートを固定できるようにすることで、手元でのモーメント感覚を調整できるようにしたスイング練習器となる。
【００２４】
また、グリップ部分を図３記載のバットグリップ１３にすると、野球のバッティング感覚と、打球音が楽しめる。
【図面の簡単な説明】
【００２５】
【図１】本発明の実施形態を示すスイング練習器の見下げ外観図
【図２】同スイング練習器の側面から見た外観図
【図３】バットグリップにした同スイング練習器の外観図
【図４】同スイング練習器のマグネットキャッチャー姿図
【図５】同スイング練習器のインパクトプレート廻り拡大図
【図６】図５におけるＡ−Ａ線断面図
【符号の説明】
【００２６】
１    グリップ  
２    短いシャフト
３    インパクトプレート
４    Ｕ字形シャフト
５    Ｔ形ナット
６    長ナット
７    振子
８    振子回転軸
９    マグネットキャッチャー
１０  ナットゆるみ防止ゴムリング
１１  クッションシート
１２  バランスプレート
１３  バットグリップ
１４  マグネット
１５  マグネット固定ボルト
１６  プレート
１７  バランスプレート取付け用長ナット
１８  バランスプレート取付け用ビス
１９  クッションシート取付けピン
２０  Ｕ字形シャフト接続用ボルト
２１  Ｕ字形シャフト接続用長ナット
【図１】
0005626523.tif 000002
【図２】
0005626523.tif 000003
【図３】
0005626523.tif 000004
【図４】
0005626523.tif 000005
【図５】
0005626523.tif 000006
【図６】
0005626523.tif 000007